(57)【要約】【課題】足場に幅木を安全かつ簡易に取り付ける幅木取付具と容易に幅木の端部同士を連結する幅木連結具を提供する。【解決手段】幅木取付具１０は、足場の縁部に立設された支柱６１の外周に係合する凹状部６と凹状部６の外側から支柱に押圧する固定部７を有する湾曲部材３と、凹状部６の開口方向に延出して湾曲部材３に固着され、幅木連結具５０によって連結された幅木６４，６５を掛止するフック部５を具備する。幅木連結具５０は、横方向に連接した矩形状の前面板２２、上面板、背面板、下面板とにより形成される断面矩形状の筒状部材と該筒状部材の内部に設けられる仕切部を備える。【選択図】図６
0003175924.tif 000002
【実用新案登録請求の範囲】
【請求項１】
足場の少なくとも周縁開放部に沿って幅木を取り付けるための幅木取付具であって、
前記足場の縁部に立設された支柱の外周に係合する凹状部と該凹状部の外側から該支柱に押圧する固定部を有する湾曲部材（３）と、
前記凹状部の開口方向に延出して前記湾曲部材に固着され、前記幅木を掛止するフック部（５）を具備する幅木取付具。
【請求項２】
前記フック部は１対の側面略Ｌ字形の腕部を有し、該腕部によって前記幅木を掛止することを特徴とする請求項１記載の幅木取付具。
【請求項３】
前記固定部は、前記湾曲部材を貫通して形成された貫通孔に設けられた螺子孔、又は前記湾曲部材を貫通して形成された貫通孔に連結して設けられた螺子孔と、前記螺子孔に螺合する螺子を有する押圧部材を備え、該押圧部材が前記支柱を押圧することを特徴とする請求項１又は請求項２記載の幅木取付具。
【請求項４】
足場の少なくとも周縁開放部に沿って取り付けられる幅木の端部に配置され、該幅木同士を接続する幅木連結具であって、
少なくとも横方向に連接した矩形状の前面板、上面板、背面板、下面板とにより形成される断面矩形状の筒状部材と該筒状部材の内部に設けられる仕切部を備え、
前記幅木が前記筒状部材の１の開口から挿入されると該幅木の端部が前記仕切部に当接し、該筒状部材を貫通しないことを特徴とする幅木連結具。
【請求項５】
前記仕切部は前記筒状部材の中心線に略垂直に取り付けられることを特徴とする請求項４記載の幅木連結具。
【請求項６】
前記仕切部は１又は複数の棒状部材からなることを特徴とする請求項４又は５記載の幅木連結具。
【請求項７】
請求項４ないし６のいずれか１項記載の幅木連結具の１の開口から前記幅木が挿入され、他の開口から別の前記幅木が挿入されることによって該２つの幅木が前記足場の周縁部に沿って連結され、請求項１ないし３のいずれか１項記載の幅木取付具が前記幅木を連結した前記幅木連結具を掛止して前記支柱に固定することを特徴とする足場。
【考案の詳細な説明】
【技術分野】
【０００１】
本考案は、枠組み足場や単管足場等の仮設足場において幅木を支柱に固定する足場用の幅木取付具と２つの幅木を連結する幅木連結具に関する。
【背景技術】
【０００２】
建設や土木の工事の仮設足場として用いられている枠組み足場や単管足場は、これら足場からの墜落事故の防止措置として、各階の作業床を形成する布板の上面側部に、幅木を起立状に固定配置することが法令によって義務付けられている。
【０００３】
従来、図８に示すように、布板上に載置する帯状プレート８２の両端部に、布板の両側部分に対する係合部８３と８４を設け、前記帯状プレート８２の上面で一方端部寄りの位置に、幅木の嵌め込み保持部８５を設けた構造の幅木取付け用金具８０が開発されている（特許文献１参照）。
【０００４】
また、図９（ａ）及び（ｂ）に示すように、足場用幅木を上方から挿入可能とした凹所９２を有する凹状部９１と、この凹状部９１に連接固定され、足場板に着脱自在に取り付けられる係止部９３を有し、調整用長孔９６を介して第１及び第２の係止片９４，９５の全幅を収縮させて足場板の側面に第１及び第２の係止片９４，９５を、その先端部分で係止させ、ナット９７ａにボルト９７ｂを螺合させることにより足場板に係止部９３を取り付ける幅木取付具９０が開発されている（特許文献２参照）。
【０００５】
さらに、図１０に示すように、幅木の端部Ｇに固定される固定部１０２及び幅木から突出する突出部１０３よりなるプレート１０４と、固定部１０２と突出部１０３の境界に垂設された第２固定部１０５とからなる幅木ジョイント１００、及び、図１１に示すように、幅木Ｇに当接する左右垂下部１１２，１１３と、該左右垂下部に略直角に連設する左右水平部１１４，１１５と、該左右水平部から下方に屈曲して連結するＵ字部１１６とからなり、幅木Ｇを仮設足場の支柱１１７に立て掛け、該支柱をＵ字部内に、幅木Ｇを左右水平部下に位置し、左右垂下部で幅木Ｇを支柱に押し当てて係止する幅木フック１１０が開発されている（特許文献３参照）。
【先行技術文献】
【特許文献】
【０００６】
【特許文献１】特開２０１１−０４３０３８号公報
【特許文献２】特開２０１１−２４６９９４号公報
【特許文献３】実用新案登録第３１５３０６６号公報
【考案の概要】
【考案が解決しようとする課題】
【０００７】
しかしながら、特許文献１及び２の幅木取付け用金具８０及び幅木取付具９０は、いずれも作業床を形成する布板（足場板）上に取り付けられるものであり、足場板が外れて落下すれば足場板とともに落下する。また、特許文献１の幅木取付け用金具８０では取り付け可能な足場板の幅が固定され，特許文献２の幅木取付具９０においても、若干猶予はあり調整可能であるものの限定された範囲の幅を有する足場板にしか取り付けできないという課題がある。
【０００８】
また、特許文献３の幅木ジョイント１００は、螺子１０７で幅木に固定する構成であり建設現場等の架設足場で組み立てるには不便である。特許文献３の幅木フック１１０は、単に幅木を上部から嵌め込んで支柱１１７に幅木を係止する構成であり、支柱への取り付け度合いが弱く安全性に課題がある。
【０００９】
本考案は、上記従来の課題を解決するものであり、足場に幅木を安全かつ簡易に取り付ける幅木取付具と容易に幅木の端部同士を連結する幅木連結具を提供することを目的とする。
【課題を解決するための手段】
【００１０】
上記目的を達成するため、本考案は、足場の少なくとも周縁開放部に沿って幅木を取り付けるための幅木取付具であって、前記足場の縁部に立設された支柱の外周に係合する凹状部と該凹状部の外側から該支柱に押圧する固定部を有する湾曲部材（３）と、前記凹状部の開口方向に延出して前記湾曲部材に固着され、前記幅木を掛止するフック部（５）を具備する幅木取付具を提供する。
【００１１】
本考案に係る幅木取付具によれば、凹状部を有する湾曲部材が固定部で外側から支柱を押圧すると、凹状部の開口方向に延出したフック部によって掛止された幅木が支柱に固定される。このことによって、足場の縁部に立設された支柱に幅木を安全かつ簡易に取り付けることができる。ここで「凹状部の開口方向に延出」とは、足場の縁部に立設された支柱の外周に係合した凹状部の横断面に形成される開口の延長方向、例えば、凹状部が断面Ｕ字形のとき該Ｕ字の開口方向であって該Ｕ字形の対象中心線の延長方向に向かって延びることを意味する。
【００１２】
好ましい態様では、前記フック部は１対の側面略Ｌ字形の腕部を有し、該腕部によって前記幅木を掛止することを特徴とする。このような構成によれば、該腕部によって例えば下部を足場に支えられた幅木の上側から幅木の側面上部を簡易に掛止し、保持することができる。
【００１３】
さらに好ましい態様では、前記固定部は、前記湾曲部材を貫通して形成された貫通孔に設けられた螺子孔、又は前記湾曲部材を貫通して形成された貫通孔に連結して設けられた螺子孔と、該螺子孔に螺合する螺子を有する押圧部材を備え、該押圧部材が前記支柱を押圧することを特徴とする。このような構成によれば、固定部の押圧部材の先端が湾曲部材を貫通して支柱を押圧し、湾曲部材に固着したフック部が幅木を掛止しているので幅木を支柱に脱着可能に固定して取り付けることができ、作業性及び安全性が向上する。
【００１４】
また、本考案は、足場の少なくとも周縁開放部に沿って取り付けられる幅木の端部に配置され、該幅木同士を接続する幅木連結具であって、少なくとも横方向に連接した矩形状の前面板、上面板、背面板、下面板とにより形成される断面矩形状の筒状部材と該筒状部材の内部に設けられる仕切部を備え、前記幅木が前記筒状部材の１の開口から挿入されると該幅木の端部が前記仕切部に当接し、該筒状部材を貫通しない幅木連結具を提供する。
【００１５】
本考案に係る幅木連結具によれば、断面矩形状の筒状部材の内部に仕切部が設けられているので幅木は筒状部材を貫通できないので容易に２つの幅木を連結することができる。
【００１６】
好ましい態様では、前記仕切部は前記筒状部材の中心線に略垂直に取り付けられるのがより好ましい。このような構成によれば該筒状部材について効率的な連結長を得ることができる。また、前記仕切部は１又は複数の棒状部材であるのがより好ましい。棒状部材であれば入手し易く、制作容易である。
【００１７】
さらに、本考案は、上記態様の幅木連結具の１の開口から前記幅木が挿入され、他の開口から別の前記幅木が挿入されることによって該２つの幅木が前記足場の周縁部に沿って連結され、上記態様の幅木取付具が前記幅木を連結した前記幅木連結具を掛止して前記支柱に固定することを特徴とする足場を提供する。
【００１８】
本考案に係る足場によれば、複数の幅木が上記態様の幅木連結具で連結され、該幅木連結具を掛止して複数の幅木が支柱に固定されるので足場の組立及び分解容易であり、かつ安全性にも優れる。
【考案の効果】
【００１９】
以上のように、本考案に係る幅木取付具及び幅木連結具によれば、足場に幅木を安全かつ簡易に取り付ける幅木取付具と容易に幅木の端部同士を連結する幅木連結具を提供することができる。
【図面の簡単な説明】
【００２０】
【図１】実施例１に係る幅木取付具を示す斜視図である。
【図２】実施例１に係る幅木取付具の製造方法を説明する図である。
【図３】実施例２に係る幅木連結具を示す斜視図である。
【図４】実施例２に係る幅木連結具の製造方法を説明する図である。
【図５】実施例２に係る幅木連結具の変形例を示す斜視図である。
【図６】実施例３に係る足場の特徴的部分を示す概観図である。
【図７】実施例３に係る足場の変形例を示す説明図である。
【図８】従来例を示す説明図である。
【図９】従来例を示す説明図である。
【図１０】従来例を示す説明図である。
【図１１】従来例を示す説明図である。
【考案を実施するための形態】
【００２１】
以下、図に示す実施例により本発明をさらに詳細に説明する。なお、これにより本発明が限定されるものではない。
【実施例】
【００２２】
−実施例１−
図１は、実施例１に係る幅木取付具１０を示す斜視図である。図１に示すように、幅木取付具１０は、湾曲部材３とフック部５を有する。湾曲部材３は、断面が略Ｕ字形状であり、足場の縁部に立設された支柱（図示せず）の外周に係合する凹状部６と該支柱を押圧し幅木（図示せず）を支柱に固定する固定部７を有する。フック部５は１対の側面略Ｌ字形の腕部５ａ，５ｂを有し、いずれもその基部５ａ１，５ｂ１が湾曲部材３に固着されて取り付けられ、互いに略平行に凹状部６の開口方向に延出してなる。
【００２３】
凹状部６の外周鞍部６ａの中央よりやや下部には内部と貫通する貫通孔（図示せず）が設けられ、この貫通孔と中心線を一致させるようにナット７ａが溶接され、ナット７ａにはボルト（「押圧部材」に相当する。）７ｂが螺合して取り付けられ固定部７を形成する。
【００２４】
［製造方法］
以下、図２を参照しながら、幅木取付具１０の製造方法について説明する。
図２（ａ）に示すように、鉄材の鋼板６ｃ（１２８．５ｍｍｘ５０ｍｍ，厚さ２．３ｍｍ）の中央やや下部に１０ｍｍφの貫通孔９を開ける。次いで、該鋼板６ｃを左右対称に断面Ｕ字形に折り曲げると、（ｂ）に示すように、該Ｕ字形の断面対象中心線と重なる中心線を有し、鋼板６ｃの上下方向中央よりやや下部に位置する貫通孔９を備える凹状部６が得られる。次に、貫通孔９の中心線と中心線が一致する位置にナット７ａを溶接して取り付ける。ナット７ａに螺合するボルト７ｂをネジ込むとその先端は貫通孔９を通って凹状部６の内面に貫通する。
【００２５】
次に、（ｃ）に示す鉄材の丸鋼（１１５ｍｍｘ９ｍｍφ）を２本用意し、（ｄ）に示すように直角よりやや広い角度となるように折り曲げると、略Ｌ字形の腕部５ａ，５ｂからなるフック部５が形成される。屈曲部５ａ２，５ｂ２の長さは各々約５５ｍｍとする。
【００２６】
（ｅ）は、凹状部６に腕部５ａ，５ｂを取り付ける状態を示す平面図である。図示するように、腕部５ａ，５ｂを凹状部６の外周に沿って開口方向に延出した状態に配置する。つまり、凹状部６の対象中心線Ｍと略並行になるように配置する。また、屈曲部５ａ２，５ｂ２は湾曲部材３の開口端辺６ｂ，６ｂに略並行、かつ屈曲部５ａ２，５ｂ２同士も略並行にする。そして、腕部５ａ，５ｂの基部５ａ１，５ｂ１をそれぞれ凹状部６（湾曲部材３）の開口近傍の上部に溶接して固着する。
（ｆ）は上記の方法で製造された湾曲部材３とフック部５からなる幅木取付具１０を示す。
【００２７】
−実施例２−
図３は、実施例２に係る幅木連結具５０を示す斜視図である。図３に示すように、幅木連結具５０は、断面矩形の筒状部材２１と該筒状部材２１の筒方向中央部に設けられた仕切部２７を有する。筒状部材２１は、それぞれ矩形状の前面板２２、上面板２３、背面板２４、下面板２５が各々横方向に連接して形成される。仕切部２３は棒状の鋼材で形成され、その両端が上面板２３と下面板２５にそれぞれ固着された構成である。
【００２８】
［製造方法］
以下、図４を参照しながら、幅木連結具５０の製造方法について説明する。
図４（ａ）に示すように、鉄材の鋼板（１８７ｍｍｘ１００ｍｍ，厚さ１．２ｍｍ）２枚と鉄材の丸鋼２７（１５１ｍｍｘ９ｍｍφ）１本を用意する。次いで、該２枚の鋼板のそれぞれについて短辺（上辺）から３３．６ｍｍのところで上辺に並行に直角に折り曲げる。（ｂ）は、直角に折り曲げられた鋼板（前面板２２、下面板２５）と下面板２５の中央部に丸鋼２７を配置した状態、及び他の１つの直角に折り曲げられた鋼板（上面板２３、背面板２４）を示す。
【００２９】
次に、下面板２５に丸鋼２７の一端を溶接し、２つの直角に折り曲げられた鋼板を前面板２２と上面板２３、下面板２５と背面板２４の各々対応する短辺を合わせて溶接し、最後に丸鋼２７の他端を上面板２３に溶接する。図３（ｃ）は上記の方法で製造された幅木連結具５０を示す。
【００３０】
−実施例２の変形例−
図５は、実施例２に係る幅木連結具の変形例を示す。図５に示すように、幅木連結具５５の仕切部を鉄材の鋼板３７とすることができる。鋼板３７を筒状部材の筒状中心線に垂直に、つまり筒状部材２１の４端辺２１ａ，２１ｂ，２１ｃ，２１ｄによって形成される開口面３３に平行に設置して構成することができる。
【００３１】
−実施例３−
図６は、実施例３に係る足場６０の特徴部分を示す概観図である。図６に示すように、本考案に係る足場６０では、背面板（図示せず）を足場の縁部に立設された支柱６１に向け、下面板（図示せず）を足場板６６に載置した幅木連結具５０の左右の開口からそれぞれ幅木６４及び６５が挿入され連結される。
幅木取付具１０は、その凹状部６が支柱６１の外周に係合した状態で、幅木連結具５０の上側から前面板２２の上部をフック部５で掛止している。この状態で幅木６４，６５は、フック部５で掛止された幅木取付具１０を介して固定部７により支柱６１に引き寄せられ固定される。
【００３２】
−実施例３の変形例−
図７は、実施例３に係る足場の変形例及びその組み立て方法を示す説明図である。
つまり、本変形例に係る足場７０では、図７（ｂ）に示すように、立設された支柱７１から横方向に設置されたパイプ７２に載置された幅木連結具５０の左右の開口からそれぞれ幅木７４及び７５の各端部が挿入されて連結されている。幅木７４及び７５を連結した幅木連結具５０の上側から前面板２２の上部をフック部５で掛止した幅木取付具１０によって幅木７４，７５が支柱７１に取り付けられている。
【００３３】
次に、足場７０の組み立て方法を説明する。
まず、図７（ａ）に示すように、背面板（図示せず）を立設された支柱７１に向け、下面板（図示せず）をパイプ７２に載置した幅木連結具５０の左右の開口からそれぞれ幅木７４及び７５を、その端部から挿入して連結する。
【００３４】
次いで、図７（ｂ）に示すように、幅木取付具１０の凹状部６を支柱７１の外周に係合させ、幅木連結具５０の上側から前面板２２の上部をフック部５で掛止する。最後に、ボルト７ｂをネジ締めして、その先端で支柱６１の外周を押圧することによって幅木７４，７５はフック部５で掛止された幅木取付具１０を介して支柱７１に引き寄せられ固定される。
【００３５】
以上、本発明の一実施形態について説明したが、本発明は上記実施形態に限定されるものではなく、その趣旨を逸脱しない限りにおいて種々の変更が可能である。例えば、上記足場７０の組み立て方法について、支柱７１に幅木取付具１０を取り付けた後、幅木連結具５０の左右の開口から幅木７４，７５を挿入して連結することもできる。
【産業上の利用可能性】
【００３６】
本発明に係る幅木取付具、幅木連結具及び足場は、幅木を建築や土木工事の作業足場を構成する足場板の側縁に沿って取付けることによって作業足場からの物品や作業者の落下を防止することができることから、建築や土木工事において好適に使用することができる。
【符号の説明】
【００３７】
３        湾曲部材
５        フック部
５ａ，５ｂ     腕部
５ａ１，５ｂ１  基部
５ａ２，５ｂ２  屈曲部
６      凹状部
６ａ    鞍部
６ｂ    開口端辺
７      固定部
７ａ    ナット
７ｂ    ボルト，押圧部材
９      貫通孔
１０    幅木取付具
２１    筒状部材
２１ａ  開口面
２２    前面板
２３    上面板
２４    背面板
２５    下面板
２７    棒部材，丸鋼，仕切部
５０，５５  幅木連結具
６０，７０  足場
６１，７１  支柱
６４，６５，７４，７５    幅木
６６    足場板
７２    パイプ
Ｍ      対象中心線
【図１】
0003175924.tif 000003
【図２】
0003175924.tif 000004
【図３】
0003175924.tif 000005
【図４】
0003175924.tif 000006
【図５】
0003175924.tif 000007
【図６】
0003175924.tif 000008
【図７】
0003175924.tif 000009
【図８】
0003175924.tif 000010
【図９】
0003175924.tif 000011
【図１０】
0003175924.tif 000012
【図１１】
0003175924.tif 000013